(57)【要約】  コンパクト化可能なレンズ鏡筒を提供する。レンズ鏡筒（２０）は、円筒状の固定枠（１００）と、円筒状の第１直進枠（１１０）と、円筒状の第１回転枠（２１０）と、円筒状の第２直進枠（１２０）と、を備える。第１回転枠（２１０）において、カム溝（ｂ２）及びバヨネット突起（Ｅ１）それぞれの一部は、第１回転枠（２１０）の軸心（Ｐ）を中心とする周方向において、３つのカムフォロア（Ｂ１）のうちの、２つのカムフォロア（Ｂ１）の間に、位置している。
2013114903.tif 000002
【特許請求の範囲】
【請求項１】
内周面に少なくとも１本の第１直進溝と少なくとも２本の第１カム溝とを有する円筒状の固定枠と、
前記固定枠の径方向内側に配置され、かつ、外周面に前記少なくとも１本の第１直進溝に係合される少なくとも１つの第１直進突起と、内周面に少なくとも１つの第２直進溝と、内周面に周方向に沿って形成される少なくとも１つのバヨネット溝と、を有する円筒状の第１直進枠と、
前記第１直進枠の径方向内側に配置され、かつ、外周面に前記少なくとも２本の第１カム溝に係合される少なくとも２つのカムフォロアと、外周面に周方向に沿って形成され、前記少なくとも１つのバヨネット溝に係合される少なくとも１つのバヨネット突起と、内周面から外周面に貫通した少なくとも１つの第２カム溝と、を有する円筒状の回転枠と、
前記回転枠の径方向内側に配置され、かつ、外周面に前記第２カム溝を介して前記第２直進溝に係合される少なくとも１つの第２直進突起を有する円筒状の第２直進枠と、
を備え、
前記バヨネット突起の少なくとも一部は、前記回転枠の軸心を中心とする周方向において、前記少なくとも２つのカムフォロアの間に位置する、
レンズ鏡筒。
【請求項２】
前記バヨネット突起の少なくとも一部は、前記回転枠の前記軸心に沿った軸心方向において、前記第２カム溝と前記回転枠の一端部との間に配置される、
請求項１に記載のレンズ鏡筒。
【請求項３】
撮像素子、
をさらに備え、
前記前記回転枠の一端部は、前記撮像素子側の端部である、
請求項２に記載のレンズ鏡筒。
【請求項４】
前記バヨネット突起の少なくとも一部は、前記回転枠の前記軸心に沿った軸心方向において、ズーム領域に対応する前記第２カム溝と、前記回転枠の一端部との間に、配置される、
請求項２又は３に記載のレンズ鏡筒。
【請求項５】
前記円筒状の回転枠は、内周面から外周面に貫通した少なくとも１本の第２カム溝と、内周面に形成され前記第２カム溝と連なる少なくとも１つのガイド溝と、をさらに有し、
を備え、
前記ガイド溝は、前記回転枠の端面に開口しており、
前記カムフォロアは、前記端面に形成される前記ガイド溝の開口の径方向外側に配置される、
請求項１から４のいずれかに記載のレンズ鏡筒。
【請求項６】
前記カム溝は、前記カムフォロアの移動軌跡に沿って形成され、径方向において光軸からの距離が異なる少なくとも１つの第１カム面と少なくとも１つの第２カム面とを、有し、
前記カムフォロアは、前記第１カム面と当接する少なくとも１つの第１側面と、前記第２カム面と当接する少なくとも１つの第２側面と、を有する、
請求項１から５いずれかに記載のレンズ鏡筒。
【請求項７】
レンズの光軸方向に沿って内周面に形成される第１直進溝と、内周面に形成される第１カム溝と、を有する円筒状の固定枠と、
前記固定枠の径方向内側に配置され、周方向に沿って内周面に形成されるバヨネット溝と、光軸方向に沿って内周面に形成される第２直進溝と、を有する円筒状の第１直進枠と、
前記第１直進枠の径方向内側に配置され、かつ、前記第１カム溝に係合される第１カムフォロアと、前記バヨネット溝に係合されるバヨネット突起と、内周面から外周面に貫通した第２カム溝と、を有する円筒状の回転枠と、
前記回転枠の径方向内側に配置され、かつ、外周面に前記第２カム溝を介して前記直進溝に係合される第２直進突起と、を有する円筒状の第２直進枠と、
を備える、
レンズ鏡筒。
【請求項８】
前記回転枠において、前記バヨネット突起は、前記貫通溝よりも像面側に配置され、前記第１カムフォロアは、前記バヨネット突起よりも像面側に配置される、
請求項７に記載のレンズ鏡筒。
【発明の詳細な説明】
【技術分野】
【０００１】
ここに開示される技術は、光学系を備えるレンズ鏡筒に関する。
【背景技術】
【０００２】
従来、固定枠の内側において第１回転枠、第１直進枠、第２直進枠および第２回転枠が外側から順次配置されたレンズ鏡筒が知られている（例えば、特許文献１参照）。
【先行技術文献】
【特許文献】
【０００３】
【特許文献１】特開２０１１−１３６１３号公報
【発明の概要】
【発明が解決しようとする課題】
【０００４】
しかしながら、特許文献１に記載のレンズ鏡筒では、第１直進枠の外側に第１回転枠が配置されているので、固定枠に対する第１回転枠の係合位置を、固定枠に対する第１直進枠の係合位置より前方に設ける必要がある。この場合、第１回転枠と直進枠が固定枠に対して最も前側に繰り出した状態で、固定枠と第１回転枠の係合部の強度を上げるには、固定枠の前端部を係合部よりも前側に設ける必要がある。【０００５】
従って、固定枠のサイズを大きくする必要があるので、レンズ鏡筒をコンパクト化するにも限界がある。
ここに開示される技術は、上述のような状況に鑑みてなされたものであり、落下等の外力に強く、コンパクト化可能なレンズ鏡筒を提供することを目的とする。
【課題を解決するための手段】
【０００６】
ここに開示されるレンズ鏡筒は、円筒状の固定枠と、円筒状の第１直進枠と、円筒状の回転枠と、円筒状の第２直進枠と、第２回転枠２２０と、第３直進枠１３０と、を備える。固定枠は、内周面に少なくとも１本の第１直進溝と少なくとも２本の第１カム溝とを有する。第１直進枠は、固定枠の径方向内側に配置され、かつ、外周面に第１直進溝に係合される少なくとも１つの第１直進突起と、内周面に少なくとも１つの第２直進溝と、内周面に周方向に沿って形成される少なくとも１つのバヨネット溝と、を有する。回転枠は、第１直進枠の径方向内側に配置され、かつ、外周面に少なくとも２本の第１カム溝に係合される少なくとも２つのカムフォロアと、外周面に周方向に沿って形成され、前記少なくとも１つのバヨネット溝に係合される少なくとも１つのバヨネット突起と、内周面から外周面に貫通した少なくとも１つの第２カム溝と、を有する。第２直進枠は、回転枠の径方向内側に配置され、かつ、外周面に少なくとも１つの第２カム溝を介して少なくとも１つの第２直進溝に係合される少なくとも１つの第２直進突起を有する。バヨネット突起の少なくとも一部は、回転枠の軸心を中心とする周方向において、少なくとも２つのカムフォロアの間に位置する。
【発明の効果】
【０００７】
ここに開示される技術によれば、落下等の外力に強く、コンパクト化可能なレンズ鏡筒を提供することができる。
【図面の簡単な説明】
【０００８】
【図１】デジタルカメラの斜視図
【図２】レンズ鏡筒の斜視図
【図３】レンズ鏡筒の分解斜視図
【図４Ａ】固定枠の斜視図
【図４Ｂ】固定枠の背面斜視図
【図４Ｃ】固定枠の拡大断面図
【図５】第１直進枠の斜視図
【図６Ａ】第１回転枠の斜視図
【図６Ｂ】第１回転枠の背面斜視図
【図６Ｃ】第１回転枠の背面図
【図７Ａ】第１回転枠の正面図
【図７Ｂ】第１回転枠の背面図
【図８】第１回転枠の側面図
【図９】第２直進枠の斜視図
【図１０】第２回転枠の斜視図
【図１１】第３直進枠の斜視図
【図１２】第２直進枠と第２回転枠と第３直進枠とを組み付けた模式図
【図１３】第１レンズ群枠の斜視図
【図１４】第２レンズ群枠の斜視図
【図１５】シャッター枠の斜視図
【図１６】レンズ鏡筒の模式断面図（沈胴状態）
【図１７】レンズ鏡筒の模式断面図（ワイド状態）
【図１８】レンズ鏡筒の模式断面図（テレ状態）
【発明を実施するための形態】
【０００９】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施形態では、撮像装置としてデジタルカメラを例に挙げて説明する。以下の説明では、横撮り姿勢のデジタルカメラを基準として、被写体側を「前」、被写体の反対側を「後」、鉛直上側を「上」、鉛直下側を「下」、被写体に向かって右側を「右」、被写体に向かって左側を「左」と表現する。横撮り姿勢とは、デジタルカメラの姿勢の一種であり、横撮り姿勢で撮影する場合、横長矩形画像の長辺方向は画像内における水平方向に略一致する。
【００１１】
〈デジタルカメラ１の構成〉
デジタルカメラ１の構成について、図面を参照しながら説明する。図１は、デジタルカメラ１の斜視図である。図２は、レンズ鏡筒２０の斜視図である。
デジタルカメラ１は、図１に示すように、筐体１０と、レンズ鏡筒２０と、を備える。
筐体１０は、前板１１と、後板１２と、側板１３と、によって構成される。前板１１には、開口１０Ｓが形成されている。
【００１２】
レンズ鏡筒２０は、３段沈胴式のズーム機構を備える。レンズ鏡筒２０は、非撮影時には筐体１０に収容されており、撮影時には開口１０Ｓから前方に繰り出される。具体的に、レンズ鏡筒２０は、図２に示すように、第１移動鏡筒部２１と、第２移動鏡筒部２２と、第３移動鏡筒部２３と、固定鏡筒部２４と、を有している。
第１移動鏡筒部２１は、固定鏡筒部２４に対して繰り出し可能である。第２移動鏡筒部２２は、第１移動鏡筒部２１に対して繰り出し可能である。第３移動鏡筒部２３は、第２移動鏡筒部２２に対して繰り出し可能である。固定鏡筒部２４は、筐体１０内に固定される。レンズ鏡筒２０が繰り出される場合、第１乃至第３移動鏡筒部２１〜２３のうち第３移動鏡筒部２３が最も前方に位置する。
【００１３】
〈レンズ鏡筒２０の詳細構成〉
次に、レンズ鏡筒２０の詳細構成について、図面を参照しながら説明する。図３は、レンズ鏡筒２０の分解斜視図である。
レンズ鏡筒２０の第１乃至第３移動鏡筒部２１〜２３は、光学系の光軸ＡＸに沿って固定鏡筒部２４から繰り出される。光学系には、第１乃至第４レンズ群Ｌ１〜L４が含まれる。なお、以下の説明では、光軸ＡＸに平行な方向を「光軸方向」、光軸方向に垂直な方向を「径方向」、光軸ＡＸを中心とする円に沿った方向を「周方向」と称する。光軸ＡＸは、レンズ鏡筒２０を構成する各枠の軸心と略一致する。
【００１４】
また、本実施形態において、「直進枠」とは、周方向に回転することなく光軸方向に移動する枠を、意味する。「回転枠」とは、周方向に回転する枠を、意味する。また、「回転枠」は、光軸方向に移動する枠と光軸方向に移動しない枠との両方の意味を、含んでいる。「直進溝」とは、光軸方向に沿って設けられた溝を、意味する。「直進溝」は、直進枠と回転枠との両方に設けられる。
【００１５】
「直進」とは、周方向に回転することなく、光軸方向に移動することを意味する。「回転」とは、周方向に回転することを意味する。また、「回転」は、光軸方向に移動する場合と光軸方向に移動しない場合の両方の意味に、用いられる。「移動」は、周方向に回転しながら光軸方向に移動することも含む概念である。
「バヨネット」または「バヨネット機構」とは、周方向に沿って設けられる「バヨネット突起」および「バヨネット溝」をそれぞれ有する枠同士が、回転自在に係合する機構、かつ光軸方向に一体的に係合する機構を、意味する。
【００１６】
１．第１移動鏡筒部２１
第１移動鏡筒部２１は、第１直進枠１１０、第１回転枠２１０及び第１化粧枠３０１を有する。第１直進枠１１０は、後述する固定枠１００の径方向内側に配置される円筒状の樹脂部材である。第１回転枠２１０は、第１直進枠１１０の径方向内側に配置される円筒状の樹脂部材である。第１化粧枠３０１は、第１直進枠１１０の外周を覆う円筒状の板金部材である。
【００１７】
２．第２移動鏡筒部２２
第２移動鏡筒部２２は、第２直進枠１２０、第２回転枠２２０、第３直進枠１３０、第２レンズ群枠３２０、第２レンズ群Ｌ２、第３レンズ群枠３３０、第３レンズ群Ｌ３、シャッター枠３３５および第２化粧枠３０２を有する。
第２直進枠１２０は、第１回転枠２１０の径方向内側に配置される円筒状の樹脂部材である。第２回転枠２２０は、第２直進枠１２０の径方向内側に配置される円筒状の樹脂部材である。第３直進枠１３０は、第２回転枠２２０の径方向内側に配置される円筒状の樹脂部材である。第２レンズ群枠３２０は、第３直進枠１３０の径方向内側に配置されており、ズーム用の第２レンズ群Ｌ２を支持する。第３レンズ群枠３３０は、シャッター枠３３５に収容され、像ぶれ補正用の第３レンズ群Ｌ３を支持する。第３レンズ群枠３３０は、径方向において揺動自在にシャッター枠３３５によって支持されており、第３レンズ群Ｌ３とともに像ぶれ補正機構を構成している。シャッター枠３３５は、第３直進枠１３０の径方向内側に配置されており、シャッター機構を内蔵する。シャッター枠３３５は、第３レンズ群枠３３０を径方向において揺動自在に支持する。シャッター枠３３５には、制御用フレキシブル配線３３５ａが接続されている。制御用フレキシブル配線３３５ａは、固定枠１００の内周面に沿って配置され、図示しない制御装置に接続されている。制御用フレキシブル配線３３５ａは、後述するシャッター機構や像ぶれ補正機構に制御信号を伝達する。第２化粧枠３０２は、第２直進枠１２０の外周を覆う円筒状の板金部材である。
【００１８】
３．第３移動鏡筒部２３
第３移動鏡筒部２３は、第１レンズ群枠３１０、第１レンズ群Ｌ１および第３化粧枠３０３を有する。
第１レンズ群枠３１０は、第２直進枠１２０と第２回転枠２２０との間に配置される。第１レンズ群枠３１０は、レンズ鏡筒２０内に光を取り込むための第１レンズ群Ｌ１を支持する。第３化粧枠３０３は、第１レンズ群枠３１０の外周を覆う円筒状の板金部材である。
【００１９】
４．固定鏡筒部２４
固定鏡筒部２４は、固定枠１００、第４レンズ群枠３４０、第４レンズ群Ｌ４、ズームモータ２４１、ズームギア２４２、フォーカスモータ２４３、マスターフランジ２４４、撮像素子２４５および撮像素子フレキシブル配線２４５ａを有する。
固定枠１００は、第１直進枠１１０および第１回転枠２１０の径方向外側に配置される円筒状の樹脂部材である。第４レンズ群枠３４０は、マスターフランジ２４４に取り付けられ、フォーカスモータ２４３によって光軸方向に駆動される。第４レンズ群枠３４０は、フォーカス調整用の第４レンズ群Ｌ４を支持する。
【００２０】
ズームモータ２４１は、第１乃至第３移動鏡筒部２１〜２３を繰り出すための駆動源であり、固定枠１００の側面に取り付けられる。ズームギア２４２は、ズームモータ２４１の駆動力を第１回転枠２１０に伝達する。ズームギア２４２の前端は、固定枠１００によって支持され、ズームギア２４２の後端は、マスターフランジ２４４によって支持される。フォーカスモータ２４３は、第４レンズ群枠３４０を光軸方向に駆動するための駆動源であり、マスターフランジ２４４に取り付けられる。マスターフランジ２４４は、固定枠１００の後方を覆う板状の樹脂部材である。撮像素子２４５は、マスターフランジ２４４の中央に嵌め込まれる。撮像素子フレキシブル配線２４５ａと、撮像素子２４５とが電気的に接続がされた状態で、撮像素子フレキシブル配線２４５ａは、マスターフランジ２４４の後面に貼り付けられる。撮像素子フレキシブル配線２４５ａは、図示しない制御装置に接続されており、撮像素子２４５からの信号を伝達する。
【００２１】
〈各枠の構成〉
以下において、レンズ鏡筒２０を構成する枠について、図面を参照しながら説明する。具体的には、固定枠１００、第１直進枠１１０、第１回転枠２１０、第２直進枠１２０、第２回転枠２２０、第３直進枠１３０、第１レンズ群枠３１０、第２レンズ群枠３２０、第３レンズ群枠３３０、およびシャッター枠３３５の構成について順次説明した後に、枠どうしの係合状態について説明する。
【００２２】
１．固定枠１００の構成
図４Ａは、固定枠１００の正面斜視図である。図４Ｂは、固定枠１００の背面斜視図である。
固定枠１００は、固定枠本体１０１と、ズームギア支持部１０２と、３つの取付け部１０３ａ〜１０３ｃと、を有する。
【００２３】
固定枠本体１０１は、略円筒状に形成され、内周面１００Ｓと外周面１００Ｔを有する。外周面１００Ｔは、後述する取付け部１０３ｃが配置される平面部Ｔａを有する。従って、外周面１００Ｔは、全体的に曲面で構成されているが、平面部Ｔａにおいて内側に凹まされている。
ズームギア支持部１０２は、外周面１００Ｔから突出するように設けられる。ズームギア支持部１０２は、ズームギア２４２の前端を回転自在に支持する。本実施形態において、ズームギア支持部１０２は、前板１１によって覆われるため、筐体１０の外部に露出しない（図１参照）。なお、ズームギア２４２の歯部は、固定枠本体１０１の内側に突出している。
【００２４】
３つの取付け部１０３ａ〜１０３ｃは、外周面１００Ｔ上に配置される。３つの取付け部１０３ａ〜１０３ｃがビスを介して筐体１０の内部に取り付けられることによって、固定枠１００が筐体１０に固定される。３つのうちズームギア２４２に隣接する取付け部１０３ｃは、外周面１００Ｔのうち平面部Ｔａ上に配置されている。
また、固定枠１００は、５本の直進溝ａ１と、３本のカム溝ｂ１と、を有する。ただし、図４Ａでは、３本の直進溝ａ１と２本のカム溝ｂ１が図示されている。
【００２５】
５本の直進溝ａ１は、光軸方向に沿って内周面１００Ｓに形成されており、周方向において適宜間隔をあけて配置される。
３本のカム溝ｂ１は、光軸方向と交差するように内周面１００Ｓに形成される。３本のカム溝ｂ１は、周方向において略等ピッチで配置される。３本のカム溝ｂ１は、後述する第１回転枠２１０が有する３つのカムフォロアＢ１の移動軌跡に沿って形成されている。
【００２６】
ここで、図４Ｃは、固定枠１００の軸心Ｐ（図７Ａ参照。光軸ＡＸと一致する。）に垂直な平面による固定枠１００の拡大断面図である。図４Ｃでは、外周面１００Ｔの平面部Ｔａ周辺が模式的に図示されている。
図４Ｃに示すように、固定枠１００の内周面１００Ｓは、第１領域Ｓａと第２領域Ｓｂとを含む。第１領域Ｓａは、第１回転枠２１０が回転しながら移動する際に、後述するギア部２１２（図６Ｃ参照）と対向する領域である。一方で、第２領域Ｓｂは、第１回転枠２１０が回転しながら移動する際においても、ギア部２１２と対向しない領域である。
【００２７】
第１領域Ｓａは、第２領域Ｓｂよりも固定枠１００の軸心から離れている。これによって、第１回転枠２１０のギア部２１２が内周面１００Ｓに干渉することが回避されている。
第２領域Ｓｂは、第１領域Ｓａよりも径方向内側に位置している。これによって、固定枠本体１０１の十分な厚みが確保された結果、第２領域Ｓｂの反対側において平面部Ｔａを形成できている。
【００２８】
カム溝ｂ１は、第１カム溝部ｂ１１と第２カム溝部ｂ１２とを含む。第１カム溝部ｂ１１は、内周面１００Ｓのうち第１領域Ｓａに形成される。第２カム溝部ｂ１２は、第１カム溝部ｂ１１の底面に形成される。すなわち、第１カム溝部ｂ１１は、第２カム溝部ｂ１２よりも径方向内側に形成されている。なお、本実施形態において、第１カム溝部ｂ１１の底面の軸心からの距離は、第１領域Ｓａの軸心からの距離と同じである。
【００２９】
また、第１カム溝部ｂ１１は、第１回転枠２１０が回転しながら移動する際に、後述するカムフォロアＢ１（図６Ｃ参照）が当接される第１カム面１０４を有する。同様に、第２カム溝部ｂ１２は、第１回転枠２１０が回転しながら移動する際に、カムフォロアＢ１が当接される第２カム面１０５を有する。第１カム面１０４および第２カム面１０５それぞれの軸心からの距離は互いに異なっており、第１カム面１０４の軸心からの距離は、第２カム面１０５の軸心からの距離よりも短い。すなわち、第１カム面１０４は、第２カム面１０５よりも径方向内側に位置している。
【００３０】
このように、本実施形態では、カム溝ｂ１を２段構成にすることによって、第２領域Ｓｂを第１領域Ｓａよりも径方向内側にすることが実現され、平面部Ｔａによって形成される新たな空間を、レンズ鏡筒２０の外部に構成できている。
２．第１直進枠１１０の構成
図５は、第１直進枠１１０の斜視図である。
【００３１】
第１直進枠１１０は、第１直進枠本体１１１と、５本の直進突起Ａ１と、３本の直進溝ａ２と、バヨネット溝ｅ１と、バヨネット突起Ｅ０と、を有する。
直進枠本体１１１は、円筒状に形成され、内周面１１０Ｓと外周面１１０Ｔを有する。
５つの直進突起Ａ１は、外周面１１０Ｔの後端部に立設される。５つの直進突起Ａ１は、固定枠１００の５本の直進溝ａ１に係合される。
【００３２】
３本の直進溝ａ２は、光軸方向に沿って内周面１１０Ｓに形成される。
バヨネット溝ｅ１は、内周面１１０Ｓの後端部において周方向に沿って円弧状に形成される。バヨネット溝ｅ１は、３本の直進溝ａ２と交差している。
バヨネット突起Ｅ０は、内周面１１０Ｓの前端部に配置される。バヨネット突起Ｅ０は、周方向に沿って円弧状に形成される。本実施形態では、複数のバヨネット突起Ｅ０が、周方向に用意されている。
【００３３】
３．第１回転枠２１０の構成
図６Ａは、第１回転枠２１０の斜視図である。図６Ｂは、第１回転枠２１０の背面斜視図である。図６Ｃは、第１回転枠２１０の背面図である。
第１回転枠２１０は、第１回転枠本体２１１と、ギア部２１２と、を有する。
第１回転枠本体２１１は、円筒状に形成され、内周面２１０Ｓと外周面２１０Ｔ及び後端面２１０Ｒを、有する。
【００３４】
ギア部２１２は、外周面２１０Ｔの後端部に立設されており、周方向に沿って形成される。ギア部２１２がズームギア２４２に噛合することによって、第１回転枠２１０は、ズームモータ２４１の駆動力によって周方向に回転される。なお、図示しないが、ギア部２１２は、第１直進枠１１０の直進突起Ａ１よりも後方に位置している。
また、第１回転枠２１０は、３つのカムフォロアＢ１と、３つのバヨネット突起Ｅ１と、３本のカム溝ｂ２と、３本のガイド溝ｇと、バヨネット溝ｅ０と、３本の直進溝ａ３と、を有する。ただし、図６Ａ及び図６Ｂでは、直進溝ａ３は１本だけ図示されている。
【００３５】
３つのカムフォロアＢ１は、外周面２１０Ｔの後端部に立設される。３つのうち２つのカムフォロアＢ１は、ギア部２１２の両端に配置されている。３つのカムフォロアＢ１は、固定枠１００の３つのカム溝ｂ１に係合される。
ここで、図７Ｂは、第１回転枠２１０の背面図である。図７Ｂに示すように、３つのカムフォロアＢ１のうち１つは、第１カムフォロア部Ｂ１１と第２カムフォロア部Ｂ１２とによって構成されている。第１カムフォロア部Ｂ１１の軸心Ｐから距離は、第２カムフォロア部Ｂ１２の軸心Ｐから距離よりも小さい。すなわち、第２カムフォロア部Ｂ１２は、第１カムフォロア部Ｂ１１よりも径方向外側に配置されている。
【００３６】
第１カムフォロア部Ｂ１１は、固定枠１００が有するカム溝ｂ１のうち第１カム溝部ｂ１１に係合される。また、第１カムフォロア部Ｂ１１は、第１カム溝部ｂ１１の第１カム面１０４（図４Ｃ参照）に当接される第１側面２１４を有している。
第２カムフォロア部Ｂ１２は、カム溝ｂ１のうち第２カム溝部ｂ１２に係合される。また、第２カムフォロア部Ｂ１２は、第２カム溝部ｂ１２の第２カム面１０５（図４Ｃ参照）に当接される第２側面２１５を有している。
【００３７】
なお、第１側面２１４および第２側面２１５は、カムフォロアＢ１の周方向における両側端部に、形成されている。本実施形態では、第１側面２１４に隣接してフランジ部２１３が形成されるとともに、第２側面２１５に隣接してギア部２１２が形成されている。フランジ部２１３は、固定枠１００の内周面１００Ｓのうち第２領域Ｓｂと対向し、ギア部２１２は、内周面１００Ｓのうち第１領域Ｓａと対向する（図４Ｃ参照）。
【００３８】
バヨネット突起Ｅ１は、外周面２１０Ｔの後端部において周方向に沿って形成される。バヨネット突起Ｅ１は、ギア部２１２の前方に配置される。バヨネット突起Ｅ１は、第１直進枠１１０のバヨネット溝ｅ１に係合される。本実施形態において、バヨネット突起Ｅ１とバヨネット溝ｅ１とは、第１回転枠２１０を第１直進枠１１０に回転自在に係合し、かつ光軸方向に一体的に係合するためのバヨネット機構を構成している。なお、３つのバヨネット突起Ｅ１は、周方向に形成されている。
【００３９】
３本のカム溝ｂ２は、内周面２１０Ｓから外周面２１０Ｔまで第１回転枠本体２１１を貫通している。
３本のガイド溝ｇは、後述する第２直進枠１２０の３つの直進カムフォロアＡＢ２（図９参照）を３本のカム溝ｂ２へとガイドするための溝である。３本のガイド溝ｇは、内周面２１０Ｓに形成される。３本のガイド溝ｇそれぞれは、３本のカム溝ｂ２それぞれと後端面２１０Ｒとに連通している。そのため、３本のガイド溝ｇそれぞれは、後端面２１０Ｒに開口している。なお、ガイド溝ｇの径方向深さは、カム溝ｂ２の径方向深さ、すなわち、第１回転枠本体２１１の厚みと略同等である。ガイド溝ｇは、カム溝ｂ２の光軸方向後側端部に、接続される。本開示例では、カム溝ｂ２の光軸方向後側端部には、レンズ鏡筒が沈胴状態の時に使用される部分、すなわち、カムフォロアＢ１が存在する部分が、形成されている。
【００４０】
ここで、図６Ｃは、第１回転枠２１０の背面図である。図６Ｃに示すように、３本のガイド溝ｇそれぞれは、後端面２１０Ｒに形成される開口２１３を有している。カムフォロアＢ１は、第１回転枠２１０の軸心Ｐ（光軸ＡＸと一致）を中心とする径方向において、開口２１３の外側に配置されている。従って、軸心Ｐを中心とする周方向におけるカムフォロアＢ１の位置は、周方向における開口２１３の位置と少なくとも一部が重なっている。このように、本実施形態では、ガイド溝ｇは、カムフォロアＢ１の内側に形成されている。
【００４１】
開口２１３には、ガイド溝ｇが形成される為、薄肉となる、又は肉がなくなる。しかし、開口２１３の径方向外側にカムフォロアＢ１を設けることで、肉厚が確保できる。ここでは、開口２１３を挟んでカムフォロアＢ１を構成してる。言い換えると、開口２１３をまたいでカムフォロアＢ１と第１回転枠本体２１１とが、結合されている。これにより、第１回転枠本体２１１の強度を、上げることができる。更に、軸心Ｐを中心とする周方向におけるカムフォロアＢ１の中心位置は、周方向における開口２１３の中心位置とは、異なっている。言い換えると、カムフォロワＢ１は、開口２１３をまたいで、第１回転枠本体２１１と結合しているので、カムフォロアＢ１の根元の周方向幅を、両側均等ではなく、片側の幅を大きくできる。この結果、カムフォロアＢ１の根元強度を、上げることが出きる。
【００４２】
バヨネット溝ｅ０は、外周面２１０Ｔの前端部に形成される。バヨネット溝ｅ０は、周方向に沿って円弧状に形成される。バヨネット溝ｅ０は、３本のカム溝ｂ２と交差している。バヨネット溝ｅ０には、バヨネット突起Ｅ０が係合される。
３本の直進溝ａ３は、内周面２１０Ｓにおいて光軸方向に沿って形成される。３本の直進溝ａ３のうち２つは近接しており、残り一つは１２０°〜１８０°離れて形成される。
【００４３】
ここで、図７Ａは、第１回転枠２１０の正面図であり、図８は、第１回転枠２１０の側面図である。
図７Ａに示すように、３本のカム溝ｂ２のそれぞれの一部は、第１回転枠２１０の軸心Ｐ（光軸ＡＸと一致）を中心とする周方向において、３つのカムフォロアＢ１のうち２つのカムフォロアＢ１の間に位置している。同様に、バヨネット突起Ｅ１の一部は、周方向において、２つのカムフォロアＢ１の間に位置している。具体的には、バヨネット突起Ｅ１は３つ存在している。バヨネット突起Ｅ１の各部分の一部は、２つのカムフォロアＢ１の間に位置する。
【００４４】
従って、図８に示すように、カム溝ｂ２及びバヨネット突起Ｅ１それぞれの少なくとも一部の周方向における位置は、２つのカムフォロアＢ１それぞれの周方向における位置と重なっていない。
また、図８に示すように、カム溝ｂ２、バヨネット突起Ｅ１および２つのカムフォロアＢ１は、軸心Ｐに沿った軸心方向（前後方向と一致）において前から順に配置されている。ここで、バヨネット突起Ｅ１は、撮影可能区間、本開示例では広角から中焦点距離範囲で使用されるカム溝ｂ２範囲と対向して、配置されている。また、バヨネット突起Ｅ１は、周方向で略同じ位置に、配置されている。これにより、第１回転枠２１０の強度を、上げることができる。直進カムフォロアＡＢ２からカム溝ｂ２に被写体側からの外力が掛かると、カム溝ｂ２の像面側端面は、像面側に変形しようとする。しかし、カム溝ｂ２の像面側にバヨネット突起Ｅ１があるため、その変形を抑止することができる。また、バヨネット突起Ｅ１は、リブ状のため、リブ効果として、第１回転枠２１０の強度を上げることができる。
【００４５】
２つのカムフォロアＢ１は、第１回転枠２１０の後端部２１０ａ上に配置されている。従って、カム溝ｂ２の少なくとも一部は、軸心方向において、バヨネット突起Ｅ１と後端部２１０ａとの間に配置されている。
また、図８に示すように、カム溝ｂ２は、周方向に沿って形成される直線溝部ｂ２ｓｔを有する。バヨネット突起Ｅ１の一部は、直線溝部ｂ２ｓｔの一部に沿って形成されている。
【００４６】
４．第２直進枠１２０の構成
図９は、第２直進枠１２０の斜視図である。
第２直進枠１２０は、第２直進枠本体１２１と、２つの係止部１２２と、を有する。
第２直進枠本体１２１は、円筒状に形成され、内周面１２０Ｓと外周面１２０Ｔを有する。
【００４７】
２つの係止部１２２は、第２直進枠本体１２１の後端面上に立設され、後方に向かって突出している。また、２つの係止部１２２は、光軸ＡＸ（図３参照）を中心として略対称な位置、すなわち、１２０°〜１８０°離れた位置に、形成される。後述するように、２つの係止部１２２が第３直進枠１３０に係止されることによって、第３直進枠１３０の第２直進枠１２０に対する相対回転が抑止される。なお、本実施形態では、２つの係止部１２２のうち一方が他方よりも周方向に長く形成されている。
【００４８】
また、第２直進枠１２０は、３つの直進カムフォロアＡＢ２と、３本の直進溝ａ４と、バヨネット溝ｅ２と、を有する。
３つの直進カムフォロアＡＢ２は、外周面１２０Ｔの後端部に立設され、周方向において略等ピッチで配置される。３つの直進カムフォロアＡＢ２は、第１回転枠２１０の３本のカム溝ｂ２に係合される。また、３つの直進カムフォロアＡＢ２は、３本のカム溝ｂ２に挿通され、かつ、第１直進枠１１０の３本の直進溝ａ２に係合される。
【００４９】
３本の直進溝ａ４は、光軸方向に沿って内周面１２０Ｓに形成される。３本の直進溝ａ４は、周方向において略等ピッチで配置される。
バヨネット溝ｅ２は、周方向に沿って内周面１２０Ｓの後端部に形成される。バヨネット溝ｅ２は、３本の直進溝ａ４と交差している。
５．第２回転枠２２０の構成
図１０は、第２回転枠２２０の斜視図である。
【００５０】
第２回転枠２２０は、第２回転枠本体２２１と、３つの直進突起Ａ３と、３つのバヨネット突起Ｅ２と、２本のバヨネット溝ｅ３と、３本のカム溝ｂ３と、３本のカム溝ｂ４と、３本のカム溝ｂ５と、を有する。ただし、図１０では、カム溝ｂ３、カム溝ｂ４、カム溝ｂ５が各々２本ずつ図示されている。
第２回転枠本体２２１は、円筒状に形成され、内周面２２０Ｓと外周面２２０Ｔを有する。
【００５１】
３つの直進突起Ａ３は、外周面２２０Ｔの後端部に立設され、周方向において３つの直進突起Ａ３のうち２つは近接しており、残り一つは近接する２つの直進突起Ａ３から略１２０°以上離れて形成される。３つの直進突起Ａ３は、第１回転枠２１０の３つの直進溝ａ３に係合される。
３つのバヨネット突起Ｅ２は、外周面２２０Ｔの後端部において周方向に沿って形成される。３つのバヨネット突起Ｅ２は、３つの直進突起Ａ３より前方に配置される。バヨネット突起Ｅ２は、第２直進枠１２０のバヨネット溝ｅ２に係合される。本実施形態において、バヨネット突起Ｅ２とバヨネット溝ｅ２とは、第２回転枠２２０を第２直進枠１２０に回転自在に係合し、かつ光軸方向に一体的に係合するためのバヨネット機構を構成している。
【００５２】
２本のバヨネット溝ｅ３は、周方向に沿って内周面２２０Ｓの略中央部に形成される。２本のバヨネット溝ｅ３は、互いに平行に形成される。２本のバヨネット溝ｅ３は、カム溝ｂ４およびカム溝ｂ５と交差する。
３本のカム溝ｂ３は、光軸方向と交差するように外周面２２０Ｔに形成され、周方向において略等ピッチで配置される。
【００５３】
カム溝ｂ４およびカム溝ｂ５は、内周面２２０Ｓに形成される。カム溝ｂ４およびカム溝ｂ５は、互いに交差する。
６．第３直進枠１３０の構成
図１１は、第３直進枠１３０の斜視図である。
第３直進枠１３０は、第３直進枠本体１３１と、フランジ部１３２と、２つの係止凹部１３３と、を有する。
【００５４】
第３直進枠本体１３１は、円筒状に形成され、内周面１３０Ｓと外周面１３０Ｔを有する。
フランジ部１３２は、円環状に形成され、外周面１３０Ｔの後端部上に立設されている。
２つの係止凹部１３３は、フランジ部１３２の外縁に形成される切り欠きである。２つの係止凹部１３３は、光軸ＡＸ（図３参照）を中心として略対称な位置、すなわち、１２０°〜１８０°離れた位置に形成される。ここで、図１２は、第２直進枠１２０と第２回転枠２２０と第３直進枠１３０とを組み付けた状態を示す模式図である。図１２に示すように、第２直進枠１２０の２つの係止部１２２が第３直進枠１３０の２つの係止凹部１３３に係止されることによって、第３直進枠１３０の第２直進枠１２０に対する相対回転が抑止される。なお、２つの係止部１２２の一方が他方よりも周方向に長く形成されているのに対応して、２つの係止凹部１３３の一方が他方よりも周方向に長く形成されている。これによって、２つの係止凹部１３３の強度が向上されている。
【００５５】
また、第３直進枠１３０は、６つのバヨネット突起Ｅ３と、３つの直進溝ａ５と、３つの直進溝ａ６と、を有する。ただし、図１１では、バヨネット突起Ｅ３は２つだけ図示されている。
６つのバヨネット突起Ｅ３それぞれは、光軸を含む断面での形状が、径方向外側の辺が短く、かつ径方向内側の辺が長い台形形状に、形成されている。また、バヨネット突起Ｅ３は、外周面１３０Ｔの略中央部において周方向に沿って形成される。２つのバヨネット突起Ｅ３は、周方向において同じ位置で、互いに平行に形成されている。この２つのバヨネット突起Ｅ３が、１セットとして、周方向において略等ピッチで、３箇所に配置されている。言い換えると、３セットのバヨネット突起Ｅ３、すなわち６つのバヨネット突起Ｅ３が、第３直進枠１３０に配置されている。６つのバヨネット突起Ｅ３は、第２回転枠２２０の２本のバヨネット溝ｅ３に係合される。本実施形態において、バヨネット突起Ｅ３とバヨネット溝ｅ３とは、第３直進枠１３０を、第２回転枠２２０に対して、回転自在に係合し、かつ光軸方向一体的に係合するためのバヨネット機構を、構成している。
【００５６】
３つの直進溝ａ５は、内周面１３０Ｓから外周面１３０Ｔまで第３直進枠本体１３１を貫通している。３つの直進溝ａ５は、光軸方向に沿って延びており、周方向において略等ピッチで配置される。
３つの直進溝ａ６は、内周面１３０Ｓから外周面１３０Ｔまで第３直進枠本体１３１を貫通している。３つの直進溝ａ６は、光軸方向に沿って延びており、周方向において略等ピッチで配置される。
【００５７】
本実施形態において、３つの直進溝ａ５と３つの直進溝ａ６とは、周方向において交互に配置されている。
７．第１レンズ群枠３１０の構成
図１３は、第１レンズ群枠３１０の斜視図である。
第１レンズ群枠３１０は、第１レンズ群枠本体３１１と、３つの直進突起Ａ４と、３つのカム突起Ｂ３と、を有する。
【００５８】
第１レンズ群枠本体３１１は、円筒状に形成され、内周面３１０Ｓと外周面３１０Ｔを有する。第１レンズ群枠本体３１１には、後方に向かって突出する３つの突出部３１１ａが形成されている。
３つの直進突起Ａ４は、突出部３１１ａの外周面３１０Ｔに立設され、周方向において略等ピッチで配置される。３つの直進突起Ａ４は、第２直進枠１２０の３本の直進溝ａ４に係合される。
【００５９】
３つのカム突起Ｂ３は、突出部３１１ａの内周面３１０Ｓに立設され、周方向において略等ピッチで配置される。３つのカム突起Ｂ３は、第２回転枠２２０の３本のカム溝ｂ３に係合される。
本実施形態において、３つの直進突起Ａ４と３つのカム突起Ｂ３とは、突出部３１１ａを挟んで略反対に配置されている。
【００６０】
８．第２レンズ群枠３２０の構成
図１４は、第２レンズ群枠３２０の斜視図である。
第２レンズ群枠３２０は、第２レンズ群枠本体３２１と、３つの直進突起Ａ５と、３つのカム突起Ｂ４と、を有する。
第２レンズ群枠本体３２１は、コップ状に形成され、外周面３２０Ｔを有する。
【００６１】
３つの直進突起Ａ５は、外周面３２０Ｔの後端部上に形成され、周方向において略等ピッチで配置される。３つの直進突起Ａ５は、第３直進枠１３０の３本の直進溝ａ５に係合される。
３つのカム突起Ｂ４は、３つの直進突起Ａ５上、すなわち、径方向外側、に形成される。３つのカム突起Ｂ４は、第２回転枠２２０の３本のカム溝ｂ４に係合される。
【００６２】
９．第３レンズ群枠３３０の構成
図１５では、シャッター枠３３５の内部に第３レンズ群枠３３０が収容された状態が図示されている。図１５を用いて、第３レンズ群枠３３０の構成を説明する。
第３レンズ群枠３３０すなわちＯＩＳ（Ｏｐｔｉｃａｌ  Ｉｍａｇｅ  Ｓｔａｂｉｌｉｚｅｒ）ユニットは、主に、ＯＩＳ枠４００と、退避レンズ枠４０１と、像ぶれ補正用の第３レンズ群Ｌ３と、を有している。
【００６３】
ＯＩＳ枠４００は、シャッター枠３３５に装着されている。具体的には、ＯＩＳ枠４００は、光軸と垂直な面内で移動可能である。より具体的には、図示しないマグネットが、ＯＩＳ枠４００に固定されており、図示しないコイルが、マグネットに対向する位置においてシャッター枠３３５に固定されている。この状態において、電力が、図示しないカメラ回路からシャッター枠のコイルに供給されると、コイルに電流が流れ磁界が発生する。この磁界によってＯＩＳ枠４００のマグネットが駆動され、この駆動力によりＯＩＳ枠４００が光軸と垂直な面内で移動する。
【００６４】
退避レンズ枠４０１は、光軸と略平行な退避軸回りに移動可能に、ＯＩＳ枠４００に保持されている。退避レンズ枠４０１は、第３レンズ群Ｌ３が像ぶれ補正を実行可能な補正可能位置（第１姿勢）から、第３レンズ群Ｌ３が光軸から退避した退避位置（第２姿勢）へと、その位置を変更可能である。退避レンズ枠４０１は、少なくとも１つのレンズから構成される第３レンズ群Ｌ３を、保持している。
【００６５】
１０．シャッター枠３３５の構成
続いて、図１５を参照しながら、シャッター枠３３５の構成について説明する。
シャッター枠３３５は、シャッター枠本体３３６と、３つの直進突起Ａ６と、３つのカム突起Ｂ５と、を有する。
シャッター枠本体３３６は、円筒状に形成され、外周面３３５Ｔを有する。
【００６６】
３つの直進突起Ａ６は、外周面３３５Ｔ上に形成され、周方向において略等ピッチで配置される。３つの直進突起Ａ６は、第３直進枠１３０の３本の直進溝ａ６に係合される。
３つのカム突起Ｂ５は、３つの直進突起Ａ６の前端部に立設される。３つのカム突起Ｂ５は、第２回転枠２２０の３本のカム溝ｂ５に係合される。
１１．枠どうしの係合
図１６乃至図１８は、レンズ鏡筒２０の断面図である。ただし、図１６乃至図１８は、光軸ＡＸを通る複数の切断面が組み合わされた模式図である。なお、図１６では、レンズ鏡筒２０の沈胴状態が図示され、図１７では、レンズ鏡筒２０のワイド状態が図示され、図１８では、レンズ鏡筒２０のテレ状態が図示されている。本実施形態において、デジタルカメラ１の撮影可能状態とは、レンズ鏡筒２０のワイド状態からテレ状態までの状態を意味する。
【００６７】
第１回転枠２１０のギア部２１２は、ズームギア２４２に噛合される（不図示）。第１回転枠２１０のカムフォロアＢ１は、固定枠１００のカム溝ｂ１に係合される。従って、第１回転枠２１０は、ズームモータ２４１の駆動力によって周方向に回転しながら光軸方向に移動可能である。
第１直進枠１１０の直進突起Ａ１は、固定枠１００の直進溝ａ１に係合される。第１直進枠１１０のバヨネット溝ｅ１には、第１回転枠２１０のバヨネット突起Ｅ１が係合される。従って、第１直進枠１１０は、第１回転枠２１０とともに光軸方向に直進可能である。
【００６８】
第２直進枠１２０の直進カムフォロアＡＢ２は、第１回転枠２１０のカム溝ｂ２に挿通され、かつ、第１直進枠１１０の直進溝ａ２に係合される。従って、第２直進枠１２０は、第１回転枠２１０の回転に応じて、光軸方向に直進可能である。
第２回転枠２２０の直進突起Ａ３は、第１回転枠２１０の直進溝ａ３に係合される。また、第２回転枠２２０のバヨネット突起Ｅ２は、第２直進枠１２０のバヨネット溝ｅ２に係合される。従って、第２回転枠２２０は、第１回転枠２１０とともに周方向に回転しながら、第２直進枠１２０とともに光軸方向に移動可能である。
【００６９】
第３直進枠１３０の係止凹部１３３には、第２直進枠１２０の係止部１２２が係止される。また、第３直進枠１３０のバヨネット突起Ｅ３は、第２回転枠２２０のバヨネット溝ｅ３に係合される。第２回転枠２２０の３つの直進突起Ａ３同士の間隔のうち少なくとも２つ間隔が略１２０°以上離れて配置され、第２直進枠１２０の２つの係止部１２２同士の間隔も同じく略１２０°以上離れて配置されており、ズーム駆動時の互いの相対回転角が略１２０°以下にされている。そのため、係止部１２２と直進突起Ａ３は、径方向及び光軸方向においては同じ位置にいるが、回転角度方向、すなわち周方向においては異なる位置となり、第３直進枠１３０は、第２回転枠２２０の回転に干渉することなく、第２直進枠１２０とともに光軸方向に直進可能である。
【００７０】
２つの係止部１２２の一方が他方よりも周方向に長く形成されているのに対応して、２つの係止凹部１３３の一方が他方よりも周方向に長く形成されているが、第３直進枠１３０が、第２回転枠２２０の回転に干渉しない範囲で周方向に長くすることが望ましい。
また、第２回転枠２２０の３つの直進突起Ａ３同士の間隔のうち少なくとも２つの間隔が略１５０°で、第２直進枠１２０の２つの係止部１２２の間隔も同じく略１５０°であり、ズーム駆動時の互いの相対回転角が略１５０°以下とされている。そのため、第３直進枠１３０が第２回転枠２２０の回転に干渉することはない。さらに、他の角度でも同様である。
【００７１】
第１レンズ群枠３１０の直進突起Ａ４は、第２直進枠１２０の直進溝ａ４に係合される。また、第１レンズ群枠３１０のカム突起Ｂ３は、第２回転枠２２０のカム溝ｂ３に係合される。従って、第１レンズ群枠３１０は、第２回転枠２２０の回転に応じて、光軸方向に直進可能である。
第２レンズ群枠３２０の直進突起Ａ５は、第３直進枠１３０の直進溝ａ５に係合される。また、第２レンズ群枠３２０のカム突起Ｂ４は、第２回転枠２２０のカム溝ｂ４に係合される。従って、第２レンズ群枠３２０は、第２回転枠２２０の回転に応じて、光軸方向に直進可能である。
【００７２】
シャッター枠３３５の直進突起Ａ６は、第３直進枠１３０の直進溝ａ６に係合される。また、シャッター枠３３５のカム突起Ｂ５は、第２回転枠２２０のカム溝ｂ５に係合される。従って、シャッター枠３３５は、第２回転枠２２０の回転に応じて、光軸方向に直進可能である。
シャッター枠３３５には、第３レンズ群枠３３０が装着されており、シャッター枠３３５が第３直進枠１３０に対して光軸方向に直進すると、第３レンズ群枠３３０の退避レンズ枠４０１が、図示しない退避機構によって回動させられる。これにより、沈胴状態から撮影可能状態に移行する際には、退避レンズ枠４０１は、退避位置から補正可能位置へと移動する。また、撮影可能状態から沈胴状態に移行する際には、退避レンズ枠４０１は、補正可能位置から退避位置へと移動する。退避レンズ枠４０１が補正可能位置に配置された場合、第３レンズ群L３は、光軸と垂直な面内で移動可能である。すなわち、この状態では、像ぶれ補正が可能である。
【００７３】
以上のように、ズームモータ２４１の駆動力による第１回転枠２１０および第２回転枠２２０の回転によって、第１乃至第３直進枠１１０〜１３０と各レンズ群枠３１０，３２０，３３５の直進が実現されている。
〈レンズ鏡筒２０の組立て方法〉
以下において、レンズ鏡筒２０の組立て方法について説明する。
【００７４】
まず、第２回転枠２２０の後方から第３直進枠１３０を挿入する。続いて、第３直進枠１３０を周方向に回転させてテレ状態にする。
次に、第３直進枠１３０の後方から第２レンズ群枠３２０を挿入する。
次に、ＯＩＳ枠４００の前方から退避レンズ枠４０１を挿入し、ＯＩＳ枠４００に退避レンズ枠４０１を回動可能に取り付ける。
【００７５】
次に、シャッター枠３３５の前方からＯＩＳ枠４００を挿入する。
次に、第３直進枠１３０の後方からシャッター枠３３５を挿入する。
続いて、第２回転枠２２０を周方向に回転させて沈胴状態にする。
次に、第１レンズ群枠３１０の後方から第２回転枠２２０を挿入する。
次に、第１レンズ群枠３１０の前方から第２直進枠１２０を被せる。
【００７６】
次に、第１直進枠１１０の後方から第１回転枠２１０を挿入する。続いて、第１回転枠２１０の後方から第２直進枠１２０を挿入する。
次に、固定枠１００の後方から第１直進枠１１０を挿入する。
最後に、固定枠１００に対して第１回転枠２１０を回転させることによって沈胴状態にする。
【００７７】
〈作用及び効果〉
（１）レンズ鏡筒２０は、円筒状の固定枠１００と、円筒状の第１直進枠１１０と、円筒状の第１回転枠２１０（回転枠の一例）と、円筒状の第２直進枠１２０と、を備える。
固定枠１００は、内周面１００Ｓに形成される直進溝ａ１（第１直進溝の一例）と３本のカム溝ｂ１（少なくとも二本の第１カム溝の一例）とを有する。
【００７８】
第１直進枠１１０は、固定枠１００の径方向内側に配置される。第１直進枠１１０は、外周面１１０Ｔに形成され、直進溝ａ１に係合される直進突起Ａ１（第１直進突起の一例）と、内周面１１０Ｓに形成される直進溝ａ２（第２直進溝の一例）と、内周面１１０Ｓにおいて周方向に沿って形成されるバヨネット溝ｅ１（バヨネット溝の一例）と、を有する。
【００７９】
第１回転枠２１０は、第１直進枠１１０の径方向内側に配置される。第１回転枠２１０は、外周面２１０Ｔに形成され、３本のカム溝ｂ１に係合される３つのカムフォロアＢ１（少なくとも２つのカムフォロアの一例）と、外周面２１０Ｔにおいて周方向に沿って形成され、バヨネット溝ｅ１に係合されるバヨネット突起Ｅ１と、内周面２１０Ｓから外周面２１０Ｔに第１回転枠本体２１１を貫通するカム溝ｂ２（第２カム溝の一例）と、を有する。
【００８０】
第２直進枠１２０は、第１回転枠２１０の径方向内側に配置される。第２直進枠１２０は、外周面１２０Ｔに形成され、カム溝ｂ２を介して直進溝ａ２に係合される直進カムフォロアＡＢ２（第２直進突起の一例）を有する。
このように、第１回転枠２１０の外側に第１直進枠１１０が配置されているので、第１回転枠２１０のカムフォロアＢ１を第１直進枠１１０の第１直進突起Ａ１より光軸方向後ろ側に配置できる。そのため、第１直進枠１１０の外側に第１回転枠２１０が配置される場合に比べて、レンズ鏡筒２０の光軸方向における全長を大きくすることなく、第１回転枠２１０のカムフォロアＢ１と係合する固定枠１００の第１直進溝ａ１の光軸方向前側端部の壁を分厚くすることができる。従って、第１回転枠２１０の固定枠１００に対する移動量を維持しつつ、すなわちズーム倍率を維持しつつ、レンズ鏡筒２０をコンパクト化できるとともに、落下等の外力に対する強度を向上させることができる。
【００８１】
また、第１回転枠２１０のギア部２１２を第１直進枠１１０の直進突起Ａ１の後方に配置できるので、図１に示すとおり、筐体１０から固定枠１００のズームギア支持部１０２が突出することを抑制できる。従って、カメラのデザイン性も向上できる。
さらに、カム溝ｂ２及びバヨネット突起Ｅ１それぞれの一部は、第１回転枠２１０の軸心Ｐを中心とする周方向において、３つのカムフォロアＢ１のうち２つのカムフォロアＢ１の間に位置している。
【００８２】
（２）ここで、カム溝ｂ２に挿通される直進カムフォロアＡＢ２からカム溝ｂ２に対して力が掛かると、カム溝ｂ２が貫通溝であるため、カム溝ｂ２の幅が広がるように第１回転枠２１０が撓んでしまうおそれがある。特に、第１回転枠２１０の３つのカムフォロアＢ１が固定枠１００の３本のカム溝ｂ１によって支持されるため、第１回転枠２１０は、３つのカムフォロアＢ１どうしの間、すなわち、周方向でカムフォロアＢ１どうしの中間付近、で撓みやすい。
【００８３】
そこで、本実施形態では、バヨネット突起Ｅ１の少なくとも一部は、周方向において、２つのカムフォロアＢ１の間に位置している。言い換えると、バヨネット突起Ｅ１は、２つのカムフォロアＢ１の周方向における中間部を含んで構成されている。すなわち、バヨネット突起Ｅ１が、２つのカムフォロアＢ１の間に位置している。これによって、バヨネット突起Ｅ１をリブとして機能させることで第１回転枠２１０自身の強度を向上することができる。また、バヨネット突起Ｅ１に係合されるバヨネット溝ｅ１を有する第１直進枠１１０の剛性を利用することによって、第１回転枠２１０が撓むことを抑制できる。
【００８４】
また、本実施形態では、カムフォロアＢ１の少なくとも一部は、像面側において、カム溝と周方向で重ならないように、形成されている。カムフォロアＢ１の根元強度を、向上できる。
また、本実施形態では、ガイド溝ｇは、カムフォロアＢ１の内側に形成されている。開口２１３の径方向外側にカムフォロアＢ１を、設けることで、肉厚が確保できる。これにより、開口２１３を挟んで、カムフォロアＢ１を構成できる。言い換えると、開口２１３をまたいで、カムフォロアＢ１と第１回転枠本体２１１とを結合できるので、第１回転枠本体２１１の強度を上げることができる。
【００８５】
また、本実施形態では、軸心Ｐを中心とする周方向におけるカムフォロアＢ１の中心位置は、周方向における開口２１３の中心位置とは異なっている、すなわち、中心位置同士がずれている。言い換えると、カムフォロワＢ１は、開口２１３をまたいで、第１回転枠本体２１１と結合しているので、カムフォロアＢ１の根元の周方向幅を、両側均等ではなく、片側の幅を大きくできる。これによって、カムフォロアＢ１の根元強度を上げることができる。
【００８６】
また、本実施形態では、カム溝ｂ２、バヨネット突起Ｅ１および２つのカムフォロアＢ１は、軸心Ｐに沿った軸心方向（前後方向と一致）において、前から順に配置されている。ここで、バヨネット突起Ｅ１は、撮影可能区間で使用されるカム溝ｂ２範囲、すなわち広角から望遠にかけてのどこかの区間で、使用されるカム溝ｂ２範囲と対向して、配置されている。すなわち、バヨネット突起Ｅ１は、周方向で略同じ位置に、配置されている。このようにすれば、第１回転枠２１０の強度を、上げることができる。直進カムフォロアＡＢ２からカム溝ｂ２に被写体側からの外力が掛かると、カム溝ｂ２の像面側端面は像面側に変形しようとする。しかし、カム溝ｂ２の像面側にバヨネット突起Ｅ１があるので、その変形を抑止することができる。また、バヨネット突起Ｅ１は、リブ状のため、リブ効果として、第１回転枠２１０の強度を上げることができる。
【００８７】
また、カム溝ｂ２の少なくとも一部とバヨネット突起Ｅ１の少なくとも一部とが、周方向において、２つのカムフォロアＢ１の間に配置されている。更に、カム溝ｂ２、バヨネット突起Ｅ１、および２つのカムフォロアＢ１は、軸心Ｐに沿った軸心方向（前後方向と一致）において、前から順に配置されている。このようにすれば、上記と同様に、第１回転枠２１０の強度を上げることができる。
【００８８】
また、本実施形態では、カム溝ｂ２を有する第１回転枠２１０と、その外側に配置される第１直進枠１１０とが、バヨネット結合された構成を、有している。そして、第２直進枠１２０の直進カムフォロワＡＢ２が、第１回転枠２１０のカム溝ｂ２に係合している。このため、例えば、第１レンズ群枠３１０及び／又は第２直進枠１２０に対して、被写体側から外力が入力された場合、この外力は、第１レンズ群枠３１０及び／又は第２直進枠１２０から、第１回転枠２１０へと伝達される。
【００８９】
すると、この力は、第１回転枠２１０のカムフォロワＢ１から、固定枠１００へと、直接的に伝達される（第１の伝達経路）。一方で、この力は、第１回転枠２１０のバヨネット突起Ｅ１から、第１直進枠１１０に伝達される。第１直進枠１１０は、撮像素子２４５側の端部において、第１回転枠２１０のカムフォロアＢ１に当接しているので、この力は、カムフォロワＢ１を介して、固定枠１００へと、間接的にも伝達される（第２の伝達経路）。
【００９０】
このように、外力が、第１レンズ群枠３１０及び／又は第２直進枠１２０に対して、入力されたとしても、この力を、２つの伝達経路（第１及び第２の伝達経路）によって、固定枠１００に伝達することができる。すなわち、本構成は、第１及び第２の伝達経路のいずれか一方、例えば第２の伝達経路だけで、外力を固定枠に伝達する従来の構成と比較して、力を伝達する部材、例えばバヨネット突起Ｅ１又はカムフォロワＢ１に応力を集中させることなく、固定枠１００に力を伝達することができる。
【００９１】
（３）ここに開示されるレンズ鏡筒２０は、次のように記載することもできる。レンズ鏡筒は、円筒状の固定枠と、円筒状の第１直進枠と、円筒状の回転枠と、円筒状の第２直進枠と、を備える。固定枠は、内周面に少なくとも１本の第１直進溝と、少なくとも１本の第１カム溝と、を有する。第１直進枠は、固定枠の径方向内側に配置され、かつ、外周面に第１直進溝に係合される少なくとも１つの第１直進突起と、内周面に少なくとも１本の第２直進溝と、を有する。回転枠は、第１直進枠の径方向内側に配置され、かつ、外周面に第１カム溝に係合される少なくとも１つのカムフォロアと、内周面から外周面に貫通した少なくとも１本の第２カム溝と、内周面に形成され前記第２カム溝と連なる少なくとも１つの連通溝と、を有する。第２直進枠は、回転枠の径方向内側に配置され、かつ、外周面に第２カム溝を介して第２直進溝に係合される少なくとも１つの第２直進突起を有する。連通溝は、回転枠の端面に開口する。カムフォロアは、端面に形成される連通溝の開口の径方向外側に配置される。
【００９２】
以下では、上記の構成及び効果を具体的に説明する。
レンズ鏡筒２０は、円筒状の固定枠１００と、円筒状の第１直進枠１１０と、円筒状の第１回転枠２１０（回転枠の一例）と、円筒状の第２直進枠１２０と、を備える。
固定枠１００は、内周面１００Ｓに形成される直進溝ａ１（第１直進溝の一例）とカム溝ｂ１（第１カム溝の一例）とを有する。
【００９３】
第１直進枠１１０は、固定枠１００の径方向内側に配置される。第１直進枠１１０は、外周面１１０Ｔに形成され、直進溝ａ１に係合される直進突起Ａ１（第１直進突起の一例）と、内周面１１０Ｓに形成される直進溝ａ２（第２直進溝の一例）と、を有する。
第１回転枠２１０は、第１直進枠１１０の径方向内側に配置される。第１回転枠２１０は、外周面２１０Ｔに形成され、カム溝ｂ１に係合されるカムフォロアＢ１と、内周面２１０Ｓから外周面２１０Ｔに第１回転枠本体２１１を貫通するカム溝ｂ２（第２カム溝の一例）と、内周面２１０Ｓに形成されカム溝ｂ２と連なるガイド溝ｇと、を有する。
【００９４】
第２直進枠１２０は、第１回転枠２１０の径方向内側に配置される。第２直進枠１２０は、外周面１２０Ｔに形成され、カム溝ｂ２を介して直進溝ａ２に係合される直進カムフォロアＡＢ２（第２直進突起の一例）を有する。
このように、第１回転枠２１０の外側に第１直進枠１１０が配置されているので、第１回転枠２１０のカムフォロアＢ１を第１直進枠１１０の第１直進突起Ａ１より光軸方向後ろ側に配置できる。そのため、第１直進枠１１０の外側に第１回転枠２１０が配置される場合に比べて、レンズ鏡筒２０の光軸方向における全長を大きくすることなく、第１回転枠２１０のカムフォロアＢ１と係合する固定枠１００の第１直進溝ａ１の光軸方向前側端部の壁を分厚くすることができる。従って、第１回転枠２１０の固定枠１００に対する移動量を維持しつつ、すなわちズーム倍率を維持しつつ、レンズ鏡筒２０をコンパクト化できるとともに、落下等の外力に対する強度を向上させることができる。
【００９５】
また、第１回転枠２１０のギア部２１２を第１直進枠１１０の直進突起Ａ１の後方に配置できるので、図１に示すとおり、筐体１０から固定枠１００のズームギア支持部１０２が突出することを抑制できる。従って、カメラのデザイン性も向上できる。
さらに、ガイド溝ｇは、後端面２１０Ｒに形成される開口２１３を有している。カムフォロアＢ１は、第１回転枠２１０の軸心Ｐ（光軸ＡＸと一致）を中心とする径方向において、開口２１３の外側に配置されている。
【００９６】
このように、開口２１３の外側にカムフォロアＢ１が配置されるので、ガイド溝ｇが第１回転枠本体２１１を貫通することを回避できる。また、第１回転枠本体２１１の後端部のうちガイド溝ｇで切り欠かれる部分をカムフォロアＢ１によって補強できるので、第１回転枠２１０の強度を向上させることができる。
（４）従来、第１枠と、第１枠の内側において回転可能に支持された第２枠と、を備えるレンズ鏡筒が知られている（例えば、特開２００９−１３４１６０号公報を参照）。第１枠は、内周面に形成されるカム溝を有し、第２枠は、外周面に形成され、カム溝に係合されるカムフォロアと、第１枠の内周面に沿って移動するギヤ部と、を有する。第１枠の内周面は、ギヤ部と対向する第１領域と、ギヤ部と対向しない第２領域と、を含んでいる。第１領域は、カム溝を挟んで第２領域の反対側に形成されている。
【００９７】
ここで、第１枠のカム溝は、第１枠の軸心に垂直な切断面において矩形状であるので、第１領域および第２領域それぞれの軸心からの距離は同等である。そのため、ギヤ部との干渉を考慮する必要がないにもかかわらず、第２領域を第１領域よりも内側に設けることができないので、第１枠の外形を周辺部材に合わせて設計できない。このように、矩形断面のカム溝が第１枠に形成される場合には、レンズ鏡筒の内部における設計自由度が低いという問題がある。
【００９８】
ここに開示される技術は、上述のような状況に鑑みてなされたものであり、設計自由度を向上可能なレンズ鏡筒を提供することを目的とする。
ここに開示されるレンズ鏡筒は、内周面に少なくとも１つのカム溝を有する円筒状の第１枠と、第１枠の径方向内側に配置され、かつ、外周面にカム溝に係合される少なくとも１つのカムフォロアを有する円筒状の第２枠と、を備える。カム溝は、カムフォロアの移動軌跡に沿って形成され、径方向において光軸からの距離が異なる少なくとも１つの第１カム面と少なくとも１つの第２カム面を有する。カムフォロアは、第１カム面と当接する少なくとも１つの第１側面と、第２カム面と当接する少なくとも１つの第２側面と、を有する。
【００９９】
ここに開示される技術によれば、設計自由度を向上可能なレンズ鏡筒を提供することができる。
以下では、上記の構成及び効果を具体的に説明する。
レンズ鏡筒２０は、カム溝ｂ１を有する固定枠１００（第１枠の一例）と、固定枠１００の径方向内側に配置され、かつ、カム溝ｂ１に係合されるカムフォロアＢ１を有する第１回転枠２１０（第２枠の一例）と、を備える。カム溝ｂ１は、径方向において軸心Ｐからの距離が異なる第１カム面１０４と第２カム面１０５とを有する。カムフォロアＢ１は、第１カム面１０４と当接する第１側面２１４と、第２カム面１０５と当接する第２側面２１５と、を有する。
【０１００】
このように、カム溝ｂ１とカムフォロアＢ１とが互いに当接する部分の径方向における高さをずらすことによって、固定枠１００の内周面１００Ｓにおいて第１領域Ｓａよりも径方向内側に第２領域Ｓｂを形成することができる。そのため、第２領域Ｓｂの外側を削って平面部Ｔａを形成することで、固定枠１００が周辺部材と干渉することを回避できる。また、第１領域Ｓａが第２領域Ｓｂよりも径方向外側に形成されているので、第１回転枠２１０のギア部２１２が内周面１００Ｓに干渉することが回避できる。従って、径方向において固定枠１００のスペースを効率的に利用できるので、レンズ鏡筒２０の内部における設計自由度を向上させることができる。
【０１０１】
〈その他の実施形態〉
（Ａ）上記実施形態において、レンズ鏡筒２０は、第１直進枠１１０と第２直進枠１２０と第１レンズ群枠３１０とによる３段沈胴式であることとしたが、これに限られるものではない。レンズ鏡筒２０は、第１直進枠１１０と第２直進枠１２０とによる２段沈胴式であってもよい。この場合、レンズ鏡筒２０は、第２回転枠２２０および第３直進枠１３０を備えていなくてもよい。さらに、レンズ鏡筒２０は、４段以上の沈胴式であってもよい。
【０１０２】
（Ｂ）上記実施形態では、２つの枠のうち一方の枠にカム溝ｂが形成され、他方の枠にカム突起Ｂが形成されているが、これに限られるものではない。２つの枠のうち一方の枠にカム突起Ｂが形成され、他方の枠にカム溝ｂが形成されていてもよい。また、２つの枠のそれぞれにカム溝ｂとカム突起Ｂとが形成されていてもよい。
（Ｃ）上記実施形態では、２つの枠のうち一方の枠に直進溝ａが形成され、他方の枠に直進突起Ａが形成されているが、これに限られるものではない。２つの枠のうち一方の枠に直進突起Ａが形成され、他方の枠に直進溝ａが形成されていてもよい。また、２つの枠のそれぞれに直進溝ａと直進突起Ａとが形成されていてもよい。
【０１０３】
（Ｄ）上記実施形態では、２つの枠のうち一方の枠にバヨネット溝ｅが形成され、他方の枠にバヨネット突起Ｅが形成されているが、これに限られるものではない。２つの枠のうち一方の枠にバヨネット突起Ｅが形成され、他方の枠にバヨネット溝ｅが形成されていてもよい。また、２つの枠のそれぞれにバヨネット溝ｅとバヨネット突起Ｅとが形成されていてもよい。
【０１０４】
（Ｅ）上記実施形態では、第３レンズ群枠３３０が沈胴状態において第２レンズ群枠３２０の側方に退避することとしたが、これに限られるものではない。第３レンズ群枠３３０は、沈胴状態において第２レンズ群枠３２０の後方に配置されてもよい。
（Ｆ）上記実施形態において、カム溝ｂ２及びバヨネット突起Ｅ１それぞれの一部が２つのカムフォロアＢ１の間に位置することとしたが、これに限られるものではない。カム溝ｂ２及びバヨネット突起Ｅ１それぞれの全部が２つのカムフォロアＢ１の間に位置していてもよい。
【０１０５】
（Ｇ）上記実施形態において、カム溝ｂ２及びバヨネット突起Ｅ１がそれぞれ３つずつ形成されることとしたが、これに限られるものではない。カム溝ｂ２及びバヨネット突起Ｅ１は、それぞれ１つずつ形成されていればよい。
（Ｈ）上記実施形態において、カムフォロアＢ１が３つ形成されることとしたが、これに限られるものではない。２つのカムフォロアＢ１が形成されていればよい。
【０１０６】
（Ｉ）上記実施形態において、３つのカムフォロアＢそれぞれの内側に３つの開口２１３それぞれが形成されることとしたが、これに限られるものではない。３つのカムフォロアＢのうち１つのカムフォロアＢの内側に１つの開口２１３が形成されていれば所望の効果を奏することができる。
（Ｊ）上記実施形態において、３つのカムフォロアＢと３本のガイド溝ｇが形成されることとしたが、これに限られるものではない。カムフォロアＢとガイド溝ｇは、それぞれ１つずつ形成されていればよい。
【０１０７】
（Ｋ）上記実施形態では、固定枠１００が、第１及び第２カム面１０４，１０５を含むカム溝ｂ１を有し、第１回転枠２１０が、第１及び第２側面２１４，２１５を含むカムフォロアＢ１を有することとしたが、これに限られるものではない。本発明は、カム溝を有する第１枠と、第１枠の内側にカム機構を介して第１枠に係合される第２枠と、を備えるレンズ鏡筒に好適に適用することができる。
【０１０８】
（Ｌ）上記実施形態では、３本のカム溝ｂのうち１本だけが第１及び第２カム面１０４，１０５を有し、３つのカムフォロアＢ１のうち１つだけが第１及び第２側面２１４，２１５を有することとしたが、これに限られるものではない。３本のカム溝ｂのうち２本以上が第１及び第２カム面１０４，１０５を有していてもよいし、３つのカムフォロアＢ１のうち２つ以上が第１及び第２側面２１４，２１５を有していてもよい。
【産業上の利用可能性】
【０１０９】
ここに開示された技術によれば、コンパクト化可能なレンズ鏡筒を提供することができるので、例えば、カメラ、カメラ付き携帯電話、カメラ付きポータブル端末等に適用できる。
また、ここに開示された技術によれば、設計自由度を向上可能なレンズ鏡筒を提供することができるので、例えば、カメラ、カメラ付き携帯電話、カメラ付きポータブル端末等に適用できる。
【符号の説明】
【０１１０】
１    …デジタルカメラ
１０  …筐体
２０  …レンズ鏡筒
２１  …第１移動鏡筒部
２２  …第２移動鏡筒部
２３  …第３移動鏡筒部
２４  …固定鏡筒部
１００…固定枠
１１０…第１直進枠
１２０…第２直進枠
１２２…係止部
１３０…第３直進枠
１３３…係止凹部
２１０…第１回転枠
２１２…ギア部
２２０…第２回転枠
２４１…ズームモータ
２４２…ズームギア
３１０…第１レンズ群枠
３２０…第２レンズ群枠
３３０…第３レンズ群枠
３３５…シャッター枠
ａ１〜ａ６          …直進溝
Ａ１，Ａ３〜Ａ６  …直進突起
ｂ１〜ｂ５          …カム溝
Ｂ１，Ｂ３〜Ｂ５  …カムフォロア
ＡＢ２              …直進カムフォロア
ｅ１〜ｅ３          …バヨネット溝
Ｅ１〜Ｅ３          …バヨネット突起
【図１】
2013114903.tif 000003
【図２】
2013114903.tif 000004
【図３】
2013114903.tif 000005
【図４Ａ】
2013114903.tif 000006
【図４Ｂ】
2013114903.tif 000007
【図４Ｃ】
2013114903.tif 000008
【図５】
2013114903.tif 000009
【図６Ａ】
2013114903.tif 000010
【図６Ｂ】
2013114903.tif 000011
【図６Ｃ】
2013114903.tif 000012
【図７Ａ】
2013114903.tif 000013
【図７Ｂ】
2013114903.tif 000014
【図８】
2013114903.tif 000015
【図９】
2013114903.tif 000016
【図１０】
2013114903.tif 000017
【図１１】
2013114903.tif 000018
【図１２】
2013114903.tif 000019
【図１３】
2013114903.tif 000020
【図１４】
2013114903.tif 000021
【図１５】
2013114903.tif 000022
【図１６】
2013114903.tif 000023
【図１７】
2013114903.tif 000024
【図１８】
2013114903.tif 000025
【国際調査報告】
2013114903.tif 000026
2013114903.tif 000027
2013114903.tif 000028
2013114903.tif 000029